(57)【要約】【課題】身体に波動エネルギー（気のエネルギー）を与えて、気力の増進や患部の治療をするための波動エネルギーを発生する医療器具に関するものである。【解決手段】絶縁体の樹脂フイルムに金箔、銅箔などの異種の金属を交互に並べて、且つ異種金属を樹脂フイルムを挟んで貼り合わせてなるシートを身体にあてがうことにより、異種金属間で発生する波動エネルギーを利用して、身体に活力を与えたり、精神的な安定を与えたり、血流の促進や患部の回復を早めたりする為の医療器具である。【選択図】  図２
2004180888.tif 000002
【特許請求の範囲】
【請求項１】
異種の金属薄板を間隔を置いて並べることで、金属薄板間から発生する波動エネルギーによって身体の調整や患部の治療をする医療器具。
【請求項２】
絶縁体に異種の金属薄板の多数枚を交互に間隔を置いて配列させ、かつ、絶縁体を挟んで異種の金属薄板を向かい合わせてなるシートからなり、シートから発生する波動エネルギーによって身体の調整や患部の治療をする医療器具。
【請求項３】
同種の金属薄板どうしを導線で繋ぎ、異種の金属薄板間をスイッチを介して導線で繋いだ請求項２記載の医療器具。
【請求項４】
多数枚のシートを積み重ねた請求項２または請求項３記載の医療器具。
【請求項５】
シートに振動、回転などの運動を与えるようにした請求項２〜４のいずれか１項に記載の医療器具。
【発明の詳細な説明】
【０００１】
【発明の属する技術分野】
本発明は波動エネルギー（気のエネルギー）を利用して動物、特に人間に活力を与えたり、血流を良くすることにより患部の治療に供する器具に関する。
【０００２】
【従来の技術】
従来、健康、医療器具として針、灸、磁石などによってツボを刺激し自律神経を働かせて治療するツボ治療器や遠赤外線などを利用して患部を温めて血行を良くすることにより治療をする医療器具は市販され多くの人に使用されている。
【０００３】
また、東洋医学の気功やヨガでは気のエネルギーを利用して身体の活性化および患部の治療を行っているが。気のエネルギーによって治療を行おうとすると、気功師やヨガの達人に会わなければならならず。誰もが自由に気のエネルギーによって治療を受けることは出来ない。
【０００４】
そこで、誰もが自由に気のエネルギーによって治療を受けることが出来るようにする為に、気のエネルギーを発生させる器具として、本出願人が発明し出願した特願２０００−２５９５３号および特願２００２−２１９０８０号の先行技術があるが、これは気のエネルギーを有する物質に振動、回転、熱、電圧などの力を加えることによって、波動エネルギーを発生を取り出していた。
【０００５】
【発明が解決しようとする課題】
動物の体には生命活動を維持する為の気のエネルギーが存在している。気のエネルギーが強い時は気力が湧くとか気分が良いとか言って、精神的にも安定していて、身体の機能も良いことから、身体がリラックス状態となり、脳波の安定、血流の増進、筋肉の疲労回復、痛みの除去、細胞の活性化が生じる。
【０００６】
ところが、気のエネルギーが弱い時は俗に言う気力が無いとか、気分が悪いとか、体がだるいとかで、体の疲れや、痛みを感じたり、活力が無いことから身体がストレス状態となり、脳波が不安定となる。
【０００７】
本発明は異種の金属の自由電子の相違を利用して波動エネルギーを発生させ、発生した波動エネルギーが身体の気のエネルギーに働きかけて強めることで、気力や活力を高め、精神の安定を図り、自律神経に働きかけて、患部の血流を良くするなど身体の機能を高めて患部の治療を行う医療器具を提供することを目的としたものである。
【０００８】
【課題を解決するための手段】
上記目的を達成する為に、本発明は自由電子を多く持つ導体である金、銀、銅、鉄、亜鉛などの異種の金属の箔や薄板を間隔を置いて向かい合せまたは配列させることにより、それぞれの金属の持つ自由電子の相違によって金属間に発生する微弱な波動エネルギーを身体に照射することで、健康状態を保持、調整させたり、患部の治療をするようにした医療器具である。
【０００９】
また、異種の金属の薄板または箔を交互に間隔を置いて配列し、配列した金属薄板に回転、振動、加熱などの外部エネルギーを与えることで、金属薄板間から発生する波動エネルギーを更に強力にして身体に照射することで、健康状態を保持、調整させたり、患部の治療をするようにした医療器具である。
【００１０】
【発明の実施の形態】
本発明の実施の形態を例に上げて説明する。
図１に示す様に、布や紙、樹脂フイルム３などの絶縁体を挟んで異種の金属である金箔１と銅箔（銅の薄板）２を貼り合わせることにより、金箔１と銅箔２の各々の持つ自由電子の量の違い（金属のイオン化傾向からも知ることが出来る）から金箔１と銅箔２の間に電位差が発生し、同時に微弱な電磁波が発生する。
【００１１】
金箔１と銅箔２の間で発生する電磁波が人の身体を癒したり、患部の治療に良いことから、波動エネルギーと言われるものである。
そこで、絶縁体である樹脂フイルム３を挟んで金箔１と銅箔２とを向かい合せて貼つけたものからなるシート４を身体にあてがうことで、シート４から発生する波動エネルギーが身体に作用して患部の治療を行う。
【００１２】
図２に示すように、異種の金属である金箔１と銅箔２を絶縁体である樹脂フイルム３に適宜の大きさで交互に複数配列して、金箔１の裏面には銅箔２を樹脂フイルム３を挟んで貼り合わせ、銅箔２の裏面には金箔１を樹脂フイルム３を挟んで貼り合わせたシート４によって波動エネルギーを発生させた。
【００１３】
また、金箔１と金箔１とを導線６で繋ぎ、銅箔２と銅箔２とを導線６で繋ぎ、繋がった金箔１の端部と繋がった銅箔２の端部とをスイッチ５を介して導線６で繋ぐことで、スイッチ５を入れたり、切ったりすることにより、波動エネルギーを放射したり、止めたりすることが出来る。
【００１４】
図３に示すように、複数の金箔１および銅箔２の配列されたシートを複数枚積み重ねることで、金箔１と銅箔２との間で発生する波動エネルギー（微弱電磁波）の発生量を多くしたり、互いの波動エネルギーを共鳴させて強力なものとなるようにした。
【００１５】
図４に示すように、絶縁体からなる回転円盤７の表裏面に金箔１と銅箔２を交互に貼り付けて、モーター８によって回転円盤７を回転させるようにした医療器具である。この器具の回転円盤７を回転させることにより、回転エネルギーが波動エネルギーに作用して、回転円盤７の表面から放射する波動エネルギーが更に強くなる。
【００１６】
上記の医療器具から発生するする波動エネルギーによって、安定した精神を取り戻し、気力や活力が増すことから、自律神経の働きが良くなり、血流の促進、細胞の活性化などの人間の持つ本来の機能が活発に働き、不快感の除去や患部の治療および改善が行われる。
【００１７】
【発明の効果】
本発明は以上説明した様に構成されているので、以下に記載されるような効果を奏する。
波動エネルギーは人の気力や活力を高め、身体を活性化させ、または精神を安定化させ、血流の促進、患部の治療および筋肉を強める。
器具が簡単な構成となっているので、製作も安価で保守、維持、取扱いも容易で経費も掛からない。
【図面の簡単な説明】
【図１】金属箔を交互に貼り合わせて波動エネルギーを発生させる医療器具の断面図である。
【図２】金属箔を交互に貼り合わせて波動エネルギーを発生させる医療器具の平面図である。
【図３】金属箔を重ね合わせて波動エネルギーを発生させる医療器具の断面図である。
【図４】回転によって波動エネルギーを発生させる医療器具の斜視図である。
【符号の説明】
１    金箔
２    銅箔
３    樹脂フイルム（絶縁体）
４    シート
５    スイッチ
６    導線
７    回転円盤（絶縁体）
８    モーター
【図１】
2004180888.tif 000003
【図２】
2004180888.tif 000004
【図３】
2004180888.tif 000005
【図４】
2004180888.tif 000006